【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）にサービスするアクセスネットワークノードによって実行される前記ＵＥを位置特定する方法であって、
前記ＵＥから第１のメッセージを受信することと、ここにおいて、前記第１のメッセージが、前記ＵＥが前記アクセスネットワークノードに接続するための要求を備える、
前記第１のメッセージを受信することに応答して、前記ＵＥの位置基準を決定することと、ここにおいて、前記位置基準が前記アクセスネットワークノードの事業者に属す位置サーバのためのものであり、前記ＵＥが位置特定されることを前記位置基準が可能にする、
前記ＵＥに第２のメッセージを送信することと
を備え、前記第２のメッセージが、前記ＵＥが前記アクセスネットワークノードに接続するための前記要求の受入れを備え、前記第２のメッセージが前記位置基準を備える、方法。
【請求項２】
前記ＵＥの前記位置基準を決定することが、
前記ＵＥの前記位置基準に対する要求を前記位置サーバに送信することと、
前記ＵＥの前記位置基準を前記位置サーバから受信することと
を備える、請求項１に記載の方法。
【請求項３】
前記ＵＥの前記位置基準が、プロトコルの識別情報と、前記位置サーバのアドレスと、前記ＵＥのＵＥ基準とを備え、前記ＵＥ基準が、インターネットプロトコル（ＩＰ）アドレス、国際移動体加入者識別子（ＩＭＳＩ）、一時移動体加入者識別子（ＴＭＳＩ）、前記ＵＥのローカルアドレス、前記アクセスネットワークノードのアドレス又はこれらの任意の組合せを備える、請求項１に記載の方法。
【請求項４】
前記ＵＥの前記位置基準を決定することが、
前記アクセスネットワークノードにおいて前記ＵＥの前記位置基準を生成することと、
前記ＵＥの前記位置基準が前記事業者の前記アクセスネットワークノードによって生成されたことを示すために、前記ＵＥの前記位置基準にデジタル署名することを更に備える、請求項１に記載の方法。
【請求項５】
前記アクセスネットワークノードが、ロングタームエボリューション（ＬＴＥ）をサポートするモビリティ管理エンティティ（ＭＭＥ）を備え、前記第１のメッセージが、非アクセス層（ＮＡＳ）接続要求又はＮＡＳトラッキングエリア更新要求を備え、前記第２のメッセージが、ＮＡＳ接続受入れ、又はＮＡＳトラッキングエリア更新受入れを備える、および／または
前記アクセスネットワークノードが、ユニバーサルモバイルテレコミュニケーションズシステム（ＵＭＴＳ）をサポートするサービング汎用パケット無線サービス（ＧＰＲＳ）サポートノード（ＳＧＳＮ）を備え、前記第１のメッセージが、ＧＰＲＳ接続要求又はＧＰＲＳルーティングエリア更新要求を備え、前記第２のメッセージが、ＧＰＲＳ接続受入れ、又はＧＰＲＳルーティングエリア更新受入れを備える、および／または
前記位置サーバが、ゲートウェイモバイルロケーションセンター（ＧＭＬＣ）、セキュアユーザプレーン位置特定（ＳＵＰＬ）位置特定プラットフォーム（ＳＬＰ）、又は位置検索機能（ＬＲＦ）を備える、請求項１に記載の方法。
【請求項６】
前記ＵＥが、オーバーザトップ（ＯＴＴ）サービスプロバイダ（ＳＰ）に送信される緊急サービス呼要求に前記ＵＥの前記位置基準を含め、前記ＵＥが、前記アクセスネットワークノードの前記アクセスネットワークと異なるアクセスネットワークを介して、前記緊急サービス呼要求を前記ＯＴＴ  ＳＰに送信する、および／または
前記ＯＴＴ  ＳＰが、前記位置基準に基づいて前記ＵＥの位置を前記位置サーバから取得する、請求項１に記載の方法。
【請求項７】
前記第２のメッセージを送信する前に前記ＵＥを認証することを更に備える、請求項１に記載の方法。
【請求項８】
前記ＵＥが前記アクセスネットワークノードに接続されている間に、前記ＵＥの新しい位置基準を定期的に決定することと、
前記新しい位置基準を前記ＵＥに送信することとを更に備える、請求項１に記載の方法。
【請求項９】
位置サーバにおいて実行されるユーザ機器（ＵＥ）を位置特定する方法であって、
前記ＵＥにサービスするアクセスネットワークノードから前記ＵＥの位置基準に対する要求を受信することと、
前記アクセスネットワークノードに前記ＵＥの前記位置基準を送信することと、
前記アクセスネットワークノード以外のネットワークエンティティから前記ＵＥの位置に対する位置要求を受信することと、前記位置要求が前記ＵＥの前記位置基準を含む、
前記ＵＥの位置推定を決定することと、
前記ネットワークエンティティに前記ＵＥの前記位置推定を送信することと
を備える、方法。
【請求項１０】
前記ネットワークエンティティが、オーバーザトップ（ＯＴＴ）サービスプロバイダに属すネットワークエンティティ、緊急サービスＩＰネットワーク（ＥＳＩｎｅｔ）プロバイダに属すネットワークエンティティ又は緊急応答機関（ＰＳＡＰ）に属すネットワークエンティティを備える、および／または
前記位置サーバが、セキュアユーザプレーン位置特定（ＳＵＰＬ）位置特定プラットフォーム（ＳＬＰ）又はＳＬＰと関連付けられる、若しくはＳＬＰに接続される位置検索機能を備え、前記ＵＥの前記位置推定を決定することが、ユーザプレーン位置特定解決法を使用して前記位置推定を決定することを備える、および／または
前記位置サーバが、ゲートウェイモバイルロケーションセンター（ＧＭＬＣ）又はＧＭＬＣと関連付けられる、若しくはＧＭＬＣに接続される位置検索機能（ＬＲＦ）を備え、前記ＵＥの前記位置推定を決定することが、制御プレーン位置特定解決法を使用して前記位置推定を決定することを備える、および／または
前記位置基準が、プロトコルの識別情報と、前記位置サーバのアドレスと、前記位置サーバに対してローカルな前記ＵＥのＵＥ基準とを備える、請求項９に記載の方法。
【請求項１１】
ユーザ機器（ＵＥ）によって実行される、呼を行う前記ＵＥを位置特定する方法であって、
前記ＵＥにサービスするアクセスネットワークノードに第１のメッセージを送信することと、ここにおいて、前記第１のメッセージが、前記ＵＥが前記アクセスネットワークノードに接続するための要求を備える、
前記ＵＥの位置基準を備える第２のメッセージを前記アクセスネットワークノードから受信することと、ここにおいて、前記第２のメッセージが、前記ＵＥが前記アクセスネットワークノードに接続するための前記要求の受入れを備え、前記位置基準が前記アクセスネットワークノードの事業者に属す位置サーバのためのものであり、前記呼のため前記ＵＥが位置特定されることを前記位置基準が可能にする、
前記ＵＥのユーザから前記呼に対する要求を受信することと、
前記呼に対する要求をオーバーザトップ（ＯＴＴ）サービスプロバイダ（ＳＰ）に送信することと
を備え、前記呼に対する前記要求が前記ＵＥの前記位置基準を含む、方法。
【請求項１２】
前記ＵＥの前記位置基準が、プロトコルの識別情報と、前記位置サーバの前記アドレスと、前記位置サーバに対してローカルな前記ＵＥのＵＥ基準とを備える、請求項１１に記載の方法。
【請求項１３】
前記第２のメッセージを受信する前に前記アクセスネットワークノードに対して前記ＵＥ識別情報を認証することを更に備える、請求項１１に記載の方法。
【請求項１４】
前記ＵＥが前記アクセスネットワークノードに接続されている間に、前記アクセスネットワークノードから前記ＵＥの新しい位置基準を定期的に受信することを更に備える、請求項１１に記載の方法。
【請求項１５】
前記呼が緊急サービス呼を備える、および／または前記ＵＥが、前記アクセスネットワークノードの前記アクセスネットワークと異なるアクセスネットワークを介して、前記呼に対する前記要求を前記ＯＴＴ  ＳＰに送信する、請求項１１に記載の方法。